(57)【要約】【課題】電線を挿通する入出線孔を現場で開ける必要がなく、電気機器の周囲を広く開放した状態で配線作業を容易に行うことができる電気機器収納用箱体を提供する。【解決手段】電気機器収納用箱体３１は、電気機器４０が取り付けられる背板３と、背板３に組み付けられる前枠７とを備えている。前枠７は天板４、底板５、左右の側板６で一体に形成されている。前枠７の前面と背面には開口部７ｆ，７ｒが設けられ、前面開口部７ｆに扉体８が開閉自在に取り付けられている。背板３と前枠７の接合部には、電気機器４０に配線される電線を挿通するための入出線部１９が設けられ、電線の配線方向に位置する入出線部１９が配線口ユニット３２のクッション部材３４で塞がれている。【選択図】図９
2010239107.tif 000002
【特許請求の範囲】
【請求項１】
各種電気機器を収納するための電気機器収納用箱体であって、電気機器が取り付けられる背板と、背板に組み付けられる前枠とを備え、前枠を天板、底板、左右の側板で一体に形成し、前枠の前面と背面に開口部を設け、前面開口部に扉体を開閉自在に取り付け、背板と前枠の接合部に電気機器に配線される電線を挿通するための入出線部を設けたことを特徴とする電気機器収納用箱体。
【請求項２】
前記入出線部が背板と前枠の接合部に開口し、開口部がクッション部材で塞がれていることを特徴とする請求項１に記載の電気機器収納用箱体。
【請求項３】
前記クッション部材を背板と前枠に夫々設け、段違いの状態で組み合わせたことを特徴とする請求項２に記載の電気機器収納用箱体。
【請求項４】
前記電線を締結材により締結固定するための電線支持板をクッション部材に密着するように前記背板に設けたことを特徴とする請求項２又は３に記載の電気機器収納用箱体。
【請求項５】
前記電線支持板を電線の太さに合わせて位置調整可能に設けたことを特徴とする請求項４に記載の電気機器収納用箱体。
【請求項６】
前記クッション部材を取付枠に装着し、取付枠を背板に分解可能に取り付けたことを特徴とする請求項２に記載の電気機器収納用箱体。
【請求項７】
前記取付枠が背板に取り付けられる主枠と、主枠に着脱される添え枠とを含み、主枠と添え枠の夫々にクッション部材を装着したことを特徴とする請求項６記載の電気機器収納用箱体。
【請求項８】
前記電線を締結材により締結固定するための電線支持片を前記主枠に複数形成したことを特徴とする請求項７記載の電気機器収納用箱体。
【発明の詳細な説明】
【技術分野】
【０００１】
本発明は、各種電気機器を収納するための電気機器収納用箱体に関する。
【背景技術】
【０００２】
従来、配電用機器、制御用機器、通信用機器等の各種電気機器を収納するための電気機器収納用箱体は、一般に、背板、天板、底板、左右の側板を一体に形成し、前面を開いた本体と、本体の前面開口に開閉自在に設けられる扉体とで成っている（例えば、特許文献１参照）。また、保管時の省スペース化、運搬時の効率化を図り、また、１人でも設置作業ができるように、本体の背板、天板、底板、左右側板の５つの部位を分割し、施工時に組み立てて使用するものもあった（例えば、特許文献２参照）。
【先行技術文献】
【特許文献】
【０００３】
【特許文献１】特開平９−３２１４５０号公報
【特許文献２】特開２００８−１７２８９９号公報
【発明の概要】
【発明が解決しようとする課題】
【０００４】
しかしながら、従来の電気機器収納用箱体は特許文献１、特許文献２とも箱体内の電気機器に配線するためには施工前に予め工具を使用して入出線孔を形成しなければならず、開口作業が煩わしいという欠点があった。
【課題を解決するための手段】
【０００５】
本発明は、上記問題点を解決するために、次のような電気機器収納用箱体を提供する。
（１）各種電気機器を収納するための電気機器収納用箱体であって、電気機器が取り付けられる背板と、背板に組み付けられる前枠とを備え、前枠を天板、底板、左右の側板で一体に形成し、前枠の前面と背面に開口部を設け、前面開口部に扉体を開閉自在に取り付け、背板と前枠の接合部に電気機器に配線される電線を挿通するための入出線部を設けたことを特徴とする電気機器収納用箱体。
【０００６】
（２）入出線部が背板と前枠の接合部に開口し、開口部がクッション部材で塞がれていることを特徴とする（１）に記載の電気機器収納用箱体。
【０００７】
（３）クッション部材を背板と前枠に夫々設け、段違いの状態で組み合わせたことを特徴とする（２）に記載の電気機器収納用箱体。
【０００８】
（４）電線を締結材により締結固定するための電線支持板をクッション部材に密着するように背板に設けたことを特徴とする（２）又は（３）に記載の電気機器収納用箱体。
【０００９】
（５）電線支持板を電線の太さに合わせて位置調整可能に設けたことを特徴とする（４）に記載の電気機器収納用箱体。
【００１０】
（６）クッション部材を取付枠に装着し、取付枠を背板に分解可能に取り付けたことを特徴とする（２）に記載の電気機器収納用箱体。
【００１１】
（７）取付枠が背板に取り付けられる主枠と、主枠に着脱される添え枠とを含み、主枠と添え枠の夫々にクッション部材を装着したことを特徴とする（６）に記載の電気機器収納用箱体。
【００１２】
（８）電線を締結材により締結固定するための電線支持片を主枠に複数形成したことを特徴とする（７）に記載の電気機器収納用箱体。
【発明の効果】
【００１３】
上記（１）の電気機器収納用箱体によれば、電線を挿通するための入出線孔を現場で開ける必要がなく、施工性が良く、また、前枠を取り外し、背板の周囲を開放した状態で、配線作業を容易に行うことができるという効果がある。
【００１４】
上記（２）の電気機器収納用箱体によれば、クッション部材を電線に密着させ、入出線部の隙間を塞ぎ、箱体の防塵性能を改善できるという効果がある。
【００１５】
上記（３）の電気機器収納用箱体によれば、クッション部材の密着性を高めることができるという効果がある。
【００１６】
上記（４）の電気機器収納用箱体によれば、電線支持板を利用してクッション部材の転倒を防止できるという効果がある。
【００１７】
上記（５）の電気機器収納用箱体によれば、電線を太さに応じて適切な位置に締結できるという効果がある。
【００１８】
上記（６）の電気機器収納用箱体によれば、クッション部材の取付位置を電線の配線方向に合わせて変更できるという効果がある。
【００１９】
上記（７）の電気機器収納用箱体によれば、２つのクッション部材の間に電線を挟着できるという効果がある。
【００２０】
上記（８）の電気機器収納用箱体によれば、複数本の電線を電線支持片に整然と配線できるという効果がある。
【図面の簡単な説明】
【００２１】
【図１】本発明に係る電気機器収納用箱体の実施例１を示し、（ａ）は正面図、（ｂ）は右側面図である。
【図２】背板と前枠を離した状態の縦断面図である。
【図３】電気機器収納用箱体の底面図である。
【図４】入出線部を表す電気機器収納用箱体の背板と前枠を離した状態の断面図である。
【図５】図４のＡ部拡大図である。
【図６】入出線部に電線を挿通させて電線固定板に結束した状態の背板の正面図である。
【図７】背板に側板を取り付ける様子を示す電気機器収納用箱体の縦断面図である。
【図８】入出線部に電線を挿通させて電線固定板に結束した状態の電気機器収納用箱体の縦断面図である。
【図９】本発明に係る電気機器収納用箱体の実施例２を示す斜視図である。
【図１０】背板の上下の入出線部を示す斜視図である。
【図１１】配線口ユニットを分解して示す斜視図である。
【図１２】電線の配線方法を示す背板の斜視図である。
【図１３】配線口ユニットを背板の上部に取り付けた状態を示す斜視図である。
【発明を実施するための形態】
【００２２】
電気機器収納用箱体は、電気機器が取り付けられる背板と、背板に組み付けられる前枠とを備えている。前枠は天板、底板、左右の側板で一体に形成されている。前枠の前面と背面には開口部が設けられ、前面開口部に扉体が開閉自在に取り付けられている。背板と前枠の接合部には、電気機器に配線される電線を挿通するための入出線部が開設され、開口部がクッション部材で塞がれている。
【実施例１】
【００２３】
まず、本発明に係る電気機器収納用箱体の実施例１を図１〜図８の添付図面に基づいて説明する。
【００２４】
電気機器収納用箱体１は、配電用機器、制御用機器、通信用機器等の各種電気機器が取り付けられる背板３と、前面及び背面が開口されて背板３に取り付けられる前枠７と、前枠７の前面開口部に設けられる扉体８とで構成されている。
【００２５】
背板３は、矩形状の金属板材で薄箱型に形成されている。背板３の上下左右の周縁には、立上片３ａが前方へ折り曲げて形成されている。立上片３ａには、前枠７と当接する当接片３ｂが内側に折り曲げて形成されている。
【００２６】
前枠７は、金属製の天板４、底板５、左右の側板６，６で一体に形成されている。前枠７の前面には開口部７ｆ（図９参照）が形成され、前枠７の背面に開口部７ｒが形成されている。前枠７の背面側の周縁には当接片７ａが内側に折り曲げて形成され、組み立て状態で、背板３の前面側の当接片３ｂに当接する。左右及び下部の当接片７ａは更に背面側へ折り曲げられ、背板３に対する位置決め片７ｂが形成されている。位置決め片７ｂの下端部には、背板３の下側の当接片３ｂに掛止される引掛片７ｃ，７ｃが下方へ突出するように形成されている。前枠７の上側の当接片７ａには、背板３の上側の当接片３ｂに係脱可能な左右一対のラッチ９，９が設けられている。前枠７の前面側の周縁には、扉体８を取り囲むように、枠部７ｄが四角環状に形成されている。
【００２７】
背板３と前枠７の上下の接合部には入出線部１９が形成されている。背板３の入出線部１９は立上片３ａに凹状に形成され、前枠７の入出線部１９が天板４及び底板５に凹状に形成され、背板３と前枠７の入出線部１９，１９を合わせることで、接合部に矩形状の開口部が形成されている。そして、背板３と前枠７の夫々に開口部を塞ぐためにクッション部材２０が設けられている。クッション部材２０は外側クッション部材２０ａと内側クッション部材２０ｂとで成り、外側クッション部材２０ａと内側クッション部材２０ｂは電線２１の配線方向に直交して２列に配置され、更に外側クッション部材２０ａと内側クッション部材２０ｂは段違いに配置されている。尚、クッション部材２０には、電線２１との密着性を高めるために複数のスリット２０ｃが形成されている。
【００２８】
背板３には電線２１を締結材に２２より締結固定するための電線支持板２３がクッション部材２０に密着するようにしてネジ２４により固定されている。また、電線支持板２３を固定するネジ２４の挿通孔２３ａが長孔形状に形成され、挿通する電線２１の径方向に移動可能にして位置調整可能に設けられている。
【００２９】
扉体８は、金属板材の上下左右の周縁を後方にコ字状に折曲し、前枠７の枠部７ｄに嵌まる大きさに形成され、左右一方の上下両端部に設けられた蝶番１０によって前枠７の枠部７ｄに開閉自在に取り付けられている。蝶番１０と反対側には、閉鎖位置の扉体８を枠部７ｄに錠止するためのハンドル１５が設けられている。
【００３０】
このように構成された電気機器収納用箱体１は、背板３を建築物の壁面に取り付け、壁面に取り付けられた背板３に電気機器４０（図９参照）を搭載したパネル１７が取り付けられる。そして、電気機器４０へ配線する電線２１が入出線部１９に挿通され、背板３の電線支持板２３に形成された孔２３ｂに結束バンドや紐などの締結材２２を用いて締結固定される。このとき、電線２１の太さによって電線支持板２３の位置を調整する。それから、扉体８を取り付けた前枠７を背板３に組み付ける。
【００３１】
前枠７の組み付けにあたっては、前枠７を上部が手前側に軽く傾くようにして持ち、背板３の左右両側の当接片３ｂ，３ｂ間に前枠７の位置決め片７ｂ，７ｂを嵌め入れ、更に落とし込むようにして前枠７の引掛片７ｃ，７ｃを背板３の下側の当接片３ｂに係止させる。それから、前枠７の上部を背板３に押し付けることでラッチ９が当接片３ｂに係止して前枠７が背板３に着脱自在に固定される。
【００３２】
外側クッション部材２０ａと内側クッション部材２０ｂは段違いに配置されているので、入出線部１９に挿通された電線２１は、細い電線も太い電線もクッション部材２０に隙間なく密着する。また、クッション部材２０は、電線支持板２３に密着しているため、電線２１の挿通方向への転倒が防止され、クッション部材２０と電線２１の密着性を良くするようになっている。
【００３３】
尚、クッション部材の材質、形状、構造について限定はなく、また、背板及び前枠の形状及び構造についても本発明の趣旨を逸脱しない範囲で適宜変更して実施可能である。
【実施例２】
【００３４】
次に、本発明に係る電気機器収納用箱体の実施例２を図９〜図１３の添付図面に基づいて説明する。実施例２の電気機器収納用箱体３１は、主に、クッション部材の取付構造において、実施例１と相違する。なお、実施例１と同一の構成については、図面に同一の符号が付されている。
【００３５】
図９に示すように、電気機器収納用箱体３１の上面及び下面には、実施例１と同様に、背板３と前枠７の接合部に入出線部１９が設けられている。電線２１（図１２参照）を挿通する方の入出線部１９には配線口ユニット３２が取り付けられ、電線２１を挿通しない方の入出線部１９にカバー３３が取り付けられている。
【００３６】
図１０に示すように、配線口ユニット３２は、入出線部１９を塞ぐクッション部材３４と、クッション部材３４が装着される取付枠３５とから成っている。取付枠３５及びカバー３３は金属板を折り曲げて形成され、両端がネジ３６で背板３の上下の取付金具３７に分解可能に取り付けられている。なお、下側の取付金具３７はパネル１７の下端を支持している。
【００３７】
図１１に示すように、取付枠３５は、背板３に取り付けられる主枠３５aと、主枠３５aに着脱される添え枠３５ｂとを備えている。クッション部材３４は２つに分割され、一方の分割片３４ａが主枠３５ａに装着され、他方の分割片３４ｂが添え枠３５ｂに装着されている。添え枠３５ｂはネジ３８で主枠３５aに着脱され、主枠３５aに複数の電線支持片３９が形成されている。
【００３８】
図１２に示すように、電線２１の配線に際しては、添え枠３５ｂを主枠３５ａから取り外し、電線２１の先端を電気機器４０に接続し、自由端側を締結材２２で電線支持片３９に締結する。その後、添え枠３５ｂを主枠３５ａに取り付け、電線２１をクッション部材３４の２つの分割片３４ａ，３４ｂ間に挟着する。こうすれば、電線支持片３９を利用して、複数本の電線２１を入出線部１９に整然と配線することができる。
【００３９】
このように、実施例２の電気機器収納用箱体３１によれば、実施例１と同様に、前枠７を取り外し、電気機器４０の周囲を広く開放した状態で、配線作業を容易に行うことができる。また、クッション部材３４を電線２１に密着させ、入出線部１９の隙間を塞いで、箱体３１の防塵性能を高めることができる。特に、クッション部材３４をユニット化したので、電線２１の配線方向に合わせて、配線口ユニット３２の取付位置を箱体３１の下部（図１０参照）又は上部（図１３参照）に容易に変更できるという利点がある。
【符号の説明】
【００４０】
１    電気機器収納用箱体（実施例１）
３    背板
３ａ    立上片
３ｂ    当接片
４    天板
５    底板
６    左右側板
７    前枠
７ａ    当接片
７ｂ    位置決め片
７ｃ    引掛片
７ｄ    枠部
８    扉体
９    ラッチ
１０    蝶番
１５    ハンドル
１７    パネル
１９    入出線部
２０    クッション部材
２０ａ    外側クッション部材
２０ｂ    内側クッション部材
２０ｃ    スリット
２１    電線
２２    締結材
２３    電線支持板
２３ａ    挿通孔
２３ｂ    孔
２４    ネジ
３１    電気機器収納用箱体（実施例２）
３２    配線口ユニット
３３    カバー
３５    取付枠
３５ａ    主枠
３５ｂ    添え枠
３９    電線支持片
【図１】
2010239107.tif 000003
【図２】
2010239107.tif 000004
【図３】
2010239107.tif 000005
【図４】
2010239107.tif 000006
【図５】
2010239107.tif 000007
【図６】
2010239107.tif 000008
【図７】
2010239107.tif 000009
【図８】
2010239107.tif 000010
【図９】
2010239107.tif 000011
【図１０】
2010239107.tif 000012
【図１１】
2010239107.tif 000013
【図１２】
2010239107.tif 000014
【図１３】
2010239107.tif 000015